(57)【要約】      （修正有）【課題】家庭内の認知症者を家族の負担を軽減する形で確実に保護管理することができ、比較的低コストで構築可能な複合的認知症者自宅保護管理システムを提供する。【解決手段】認知症者の場所を特定する所在管理機構Ａと、ドア・引戸の開閉を監視するドア・引戸開閉監視機構Ｂと、鍵の開錠を通報する鍵監視機構Ｃと、これらを統括する中央処理装置を有する。所在管理機構は、認知症者装着の電波発信装置と、電波を受信して信号を中央処理装置に送信する信号中継装置と、認知症者の場所を表示するディスプレイにより構成される。ドア・引戸開閉監視機構は、ドア・引戸及び／又はその周辺に設置され、開扉を感知し中央処理装置に信号を送信するドア・引戸開閉センサーと、ドア・引戸の開扉を通報する音声通報装置により構成される。鍵監視機構は、鍵の開錠を感知して中央処理装置に信号を送信する鍵センサーと、開錠を通報する音声通報装置により構成される。【選択図】図１
2016110579.tif 000002
【特許請求の範囲】
【請求項１】
認知症者を自宅にて監視する保護システムであって、
前記認知症者の場所を特定する所在管理機構と、
ドア・引戸の開閉を監視するドア・引戸開閉監視機構と、
鍵の開錠を通報する鍵監視機構と、
前記３機構を統括する中央処理装置と、
を有し、前記認知症者の場所を視覚的方法によって表示し、前記ドア・引戸の開閉及び前記鍵の開錠を聴覚的方法によって通報することを特徴とする認知症者保護管理システム。
【請求項２】
前記所在管理機構は、
前記認知症者の身体に装着される電源内臓の電波発信装置と、
家内の複数の場所に設置され前記電波を受信し前記中央処理装置に無線又は有線にて信号を送信する信号中継装置と、
前記中央処理装置に連結され前記中継装置が受信した信号をもとに前記認知症者の所在地を視覚的に表示するディスプレイと、
により構成されることを特徴とする請求項１記載の認知症者保護管理システム。
【請求項３】
前記ドア・引戸開閉監視機構は、
ドア・引戸及び／又はドア・引戸周辺に設置され開扉を感知し前記中央処理装置に無線又は有線にて信号を送信するドア・引戸開閉センサーと、
前記中央処理装置に連結され前記中央処理装置が受信した前記信号を音に変換し聴覚的に通報する音声通報装置と、
により構成されることを特徴とする請求項１又は２記載の認知症者保護管理システム。
【請求項４】
前記鍵監視機構は、
鍵の開錠を感知し前記中央処理装置に無線又は有線にて信号を送信する鍵センサーと、
前記中央処理装置に連結され前記中央処理装置が受信した前記信号を音に変換し聴覚的に通報する音声通報装置と、
により構成されることを特徴とする請求項１乃至３のいずれかに記載の認知症者保護管理システム。
【発明の詳細な説明】
【技術分野】
【０００１】
本発明は認知症者を自宅において保護管理するシステムに関する。
【背景技術】
【０００２】
認知症者は健常者と比較して判断力や運動能力が低下している場合が多いため、家庭内においても、家族が目を離したときに、怪我をしたり食物以外の物を口にしたりして事故となることがある。例えば、食堂においては、健常者にとっては何でもないものが認知症者にとっては危険なものとなり、トイレや風呂場ではちょっとした問題解決ができずに動けなくなることがある。また、寝室で横になったときに体調が急変することもある。さらに、家族が知らない間に玄関から外に出てしまう危険もある。
【０００３】
家庭内における上述の事故を防ぐためには、家族が、常に認知症者の行動に目配りをして、不慮の場合に即座に対応できるように準備しておく必要がある。
【先行技術文献】
【特許文献】
【０００４】
【特許文献１】特開平９−１７２５０５
【特許文献２】特開２０００−２５９９６９
【特許文献３】特開２００２−９９５７
【特許文献４】特開２００２−３１９０８３
【特許文献５】特開２００５−２７８８６４
【特許文献６】特開２００７−２７２８５２
【発明の概要】
【発明が解決しようとする課題】
【０００５】
しかしながら、家庭内においても家族が四六時中認知症者の後追いをすることはできないし、とくに高齢者のみの世帯においては認知症者の監視保護は体力的に難しい。また、常時寄り添うことは認知症者にとっても自立の障害となる。
【０００６】
特許文献１乃至６には、病院、介護等の施設に滞在する患者又は被介護者の行動を監視するための管理システムについての発明が開示されている。これらの発明は、いずれも前記患者等に持たせた端末やＩＣ等からの信号を、施設内の複数の場所に設置されたリーダーで受信又は感知し、前記患者等に関する情報を有する中央管理棟のサーバーによって一元管理するもので、一定規模の施設内において、限られた数の看護師により、多数の患者等の保護管理を効率化に行うことを目的とするものであり、規模とコストの観点から、家庭内において行われる家族による認知症者の保護管理には適さない。
【０００７】
上述の問題に鑑み、本発明においては、家庭内の認知症者を家族の負担を軽減する形で確実に保護管理することができ、比較的低コストで構築可能である複合的な認知症者自宅保護管理システムを提供することを課題とする。
【課題を解決するための手段】
【０００８】
上述の課題を解決するために  本発明に係る認知症者保護管理システムは、認知症者の場所を特定する（Ａ）所在管理機構（図３）と、ドア・引戸の開閉を監視する（Ｂ）ドア・引戸開閉監視機構（図４）と、鍵の開錠を通報する（Ｃ）鍵監視機構（図５）と、前記３機構を統括する中央処理装置とを有することを特徴とする（図１)。
【０００９】
（Ａ）所在管理機構は、認知症者の身体に装着される電源内臓の電波発信装置と、家内の複数の場所に設置され一定の距離内で前記電波を受信し中央処理装置に無線又は有線にて信号を送信する信号中継装置と、中央処理装置に連結され前記中継装置が受信した信号をもとに認知症者の所在地を視覚的に表示するディスプレイにより構成される（図３）。
【００１０】
（Ｂ）ドア・引戸開閉監視機構は、ドア・引戸及び／又はドア・引戸周辺に設置され開扉を感知し中央処理装置に無線又は有線にて信号を送信するドア・引戸開閉センサーと、中央処理装置に連結され前記中央処理装置が受信した前記信号を音に変換し聴覚的に通報する音声通報装置により構成される（図４）。
【００１１】
（Ｃ）鍵監視機構は、鍵の開錠を感知し中央処理装置に無線又は有線にて信号を送信する鍵センサーと、中央処理装置に連結され前記中央処理装置が受信した前記信号を音に変換し聴覚的に通報する音声通報装置により構成される（図５）。
【発明の効果】
【００１２】
所在管理、ドア・引戸の開閉、及び鍵監視という３機構から成る複合的な認知症者自宅保護管理システムにより、認知症者を家庭内において確実に保護管理することができる。
【００１３】
視覚的及び聴覚的手段により、動かずに認知症者の行動を管理することができるため、行動に制約がある高齢者家庭においても、認知症者を保護管理することができる。
【００１４】
常時、認知症者に寄り添う必要がないため、介護者の負担軽減のみならず、家庭内における認知症者の自立的な行動を促すことができる。
【図面の簡単な説明】
【００１５】
【図１】本発明に係る認知症者自宅保護管理システムの構成を示す全体概念図である。
【図２】本実施形態における家庭内の機器の配置図である。
【図３】所在管理機構の系統図である。
【図４】ドア・引戸開閉監視機構の系統図である。
【図５】鍵監視機構の系統図である。
【発明を実施するための形態】
【００１６】
図１に示すように本発明に係る認知症者自宅保護管理システムは、認知症者の居場所を特定する（Ａ）所在管理機構、ドア・引戸の開閉を監視する（Ｂ）ドア・引戸開閉監視機構、鍵の開錠を通報する（Ｃ）鍵監視機構、及び前記３機構を統括する中央処理装置によって構成され、各機構の装置又はセンサーが送信する信号は中央処理装置により変換処理されてディスプレイに表示され、若しくは音声通報装置で通報される。また、中央処理装置は各機構を統括し、家内に設置されたセンサー等の機器のオン・オフを管理する。
以下、本実施形態を例に、各機構の具体的な構成及び機能について、図を用いて説明する。
【００１７】
図３及び図２に示すように、（Ａ）所在管理機構は、発信装置１、信号中継装置２、中央処理装置５及びディスプレイ６により構成される。本実施形態においては、発信装置１は認知症者が抵抗なく上着の内側に装着する首下げ式のネームカードとする。該ネームカードは薄型電池を内臓し常時電波を発信する。また、壁を越えて別々の部屋の信号中継装置２が同時に電波を受信しないように、電波が届く範囲は数メートル程度とする。
【００１８】
本実施形態では信号中継装置２は、図２に示すように、居間、玄関、浴室、トイレ、食堂及び寝室の天井に設置され、認知症者の入室時に電波発信装置１からの電波を受信して中央処理装置５に無線信号を送信する。中央処理装置５は居間に設置され、信号中継装置２からの信号を映像信号に変換後、同信号を同じく居間に置かれたディスプレイに送信する。
【００１９】
ディスプレイの映像は、屋内の間取りを表す平面図上に認知症者の位置を示すものとなっており、認知症者の位置情報は、入室時に点滅によって、また入室後一定時間経過後には点灯によって表示される。
【００２０】
図４及び図２に示すように、（Ｂ）ドア・引戸開閉監視機構は、ドア・引戸開閉センサー３、中央処理装置５及び音声通報装置７によって構成される。本実施形態においては、ドア・引戸開閉センサー３は家内のすべてのドアと引戸に設置され、ドア又は引戸の一部がドア枠又は引戸枠から離れたときにセンサー３が反応し、信号を中央処理装置５に送信する。中央処理装置５はセンサー３からの信号を音声信号に変換し、音声通報装置７に送信する。
【００２１】
音声通報装置７から発せられる音声はチャイムや音楽等の落ち着いた音とし、後述の鍵監視機構によって発せられる警報と区別できるようにする。また、図２に示すように、音声通報装置７は居間のほか、食堂、寝室にも設置し、家族が居間にいないときにも通報が届くようにしておくのが望ましい。
【００２２】
（Ｂ）ドア・引戸開閉監視機構は、屋内の多くの出入り口に取り付けるため、チャイム、音楽等の音だけでは、認知症者の居場所が予想できないこともある。そのような場合には、ディスプレイ６で確認するなど、所在管理機構（Ａ）と併せての使用法が必要となる。
【００２３】
図５及び図２に示すように、（Ｃ）鍵監視機構は、鍵センサー４、中央処理装置５及び音声通報装置７によって構成される。本実施形態においては、鍵センサー４は戸外に通じるドアと引戸の鍵に設置され、開錠された瞬間に鍵センサー４が反応し、信号を中央処理装置５に送信する。中央処理装置５はセンサー３からの信号を音声信号に変換し、音声通報装置７に送信する。
【００２４】
認知症者の戸外への出脱は緊急性を要するため、音声通報装置７が発する通報音は警報性のあるブザー、サイレン等とし、屋内どこにいても聞こえる程度の音量とすることが望ましい。また、開錠された場所が即座に分かるように、場所ごとに通報音の種類を変え、すぐに駆けつけて保護できるようにしておくことも考えられる。
【００２５】
以上、本発明の有する特徴及び優れた点について上記実施形態を例に記述したが、本発明は、本発明の原理の範囲内で、本願の特許請求の範囲で使用されている言葉を広く一般的な意味にまで広げて実施することが可能である。特に、電波発信装置の形態や身体への装着方法、各センサーの取り付け場所や感知の方法については、認知症者の程度と介護者の年齢、家の構造等によって様々の実施形態が可能であり、それらについて本実施形態と異なる形態又は方法による実施は、本発明の技術的範囲に含まれるものと解する。
【符号の説明】
【００２６】
１    電波発信装置
２    信号中継装置
３    ドア・引戸開閉センサー
４    鍵センサー
５    中央処理装置
６    ディスプレイ
７    音声通報装置
８    ドア
９    引戸
【図１】
2016110579.tif 000003
【図２】
2016110579.tif 000004
【図３】
2016110579.tif 000005
【図４】
2016110579.tif 000006
【図５】
2016110579.tif 000007